(57)【要約】【課題】シンプルな構成でありながら、通水路の開閉操作を行うノズルが再び挿入される保守の際に、その作業をより容易且つ適切に行うことができる不凍水抜栓を提供する。【解決手段】通水路１１の開閉及び水抜き通路１７の開閉を行うことができ、ノズル２０が保守のために引き抜かれたときに、上下開口部１５と流入水路部１２とを連通させる流入連通口１６を塞ぐ止水弁４０が、流入水路部１２内に配され、ノズル２０は、リングパッキン３０を備える通水用の開閉弁２１よりも下側の部位が、止水弁４０を流入水の圧力に抗して押しのけることで流入連通口１６を開くことができる外径部２０ａに形成されていると共に、ノズル２０が再び挿入される際のリングパッキン３０が上下開口部１５を上方から変位してシールするときに、止水弁４０が流入連通口１６を塞いで止水するために変位できるように、ノズル２０に小径に絞られた形状のくびれ部２３が形成されている。【選択図】図１
2019060097.tif 000002
【特許請求の範囲】
【請求項１】
一方の側部に設けられた流入水路部から他方の側部に設けられた流出水路部へ連続する通水路を形成する本体を備え、該本体の上方から挿入されて配されるノズルを上下に操作することで前記通水路の開閉及び水抜き通路の開閉を行うことができ、前記通水路の中途部には、上下に開口して内周面がシール周面となる上下開口部が設けられ、該上下開口部には、前記ノズルが上方から挿通されて上下方向に変位可能に配されると共に、該ノズルの前記上下開口部に対応する部位に、前記シール周面に摺接して水密シールを行うリングパッキンが嵌められていることで通水用の開閉弁が構成され、前記ノズルが保守のために引き抜かれたときに、前記上下開口部と該上下開口部の下方に位置する前記流入水路部とが連通されるように設けられた流入連通口を塞ぐ止水弁が、流入水の圧力で内方向へ変位して前記流入連通口を塞ぐことができるように前記流入水路部内に配され、前記ノズルの下端部が、通水時及び水抜き時の使用時に、前記本体の前記流入連通口よりも下方に形成された下端側被挿入部の内周面にシールされた状態で、上下方向に変位可能に設けられている不凍水抜栓において、
前記ノズルは、下方へ変位したときには、前記通水用の開閉弁よりも下側の所要の部位が、前記止水弁を流入水の圧力に抗して外方向へ押しのけることで前記流入連通口を開くことができる外径部に形成されていると共に、該ノズルが保守のため引き抜かれ再び挿入される際であって、前記通水用の開閉弁の前記リングパッキンが、上方から変位して前記上下開口部を水密シールするときに、前記止水弁が前記流入連通口を塞いで止水するために内方向へ変位できるように、該ノズルの通水用の開閉弁よりも下側の中途部に、小径に絞られた形状のくびれ部が形成されていることを特徴とする不凍水抜栓。
【請求項２】
前記くびれ部が、上下の両側について案内面としての円錐面状の斜面を備えるように、下向き円錐面状部と、該下向き円錐面状部の下に連続して形成された上向き円錐面状部とによって断面がＶ字状の周溝状に形成されて設けられていることを特徴とする請求項１記載の不凍水抜栓。
【請求項３】
前記止水弁において、前記ノズルによって押しのけられるように該ノズルに当接する部位が、円錐面状の斜面を備えるように突き出た凸部になっていることを特徴とする請求項１又は２記載の不凍水抜栓。
【請求項４】
前記ノズルが、スプール弁状に設けられており、上下開口部の内周面にかかる内径と下端側被挿入部の内周面にかかる内径とが同一の大きさであることを特徴とする請求項１〜３のいずれかに記載の不凍水抜栓。
【請求項５】
前記本体の前記上下開口部よりも上側の側部に、前記流出水路部に連通して外部へ連通する水抜き通路が設けられ、該水抜き通路を開閉する水抜き用の開閉弁が、前記通水用の開閉弁を構成する部位よりも前記ノズルの上側の部位にリングパッキンが嵌められることで構成されていることを特徴とする請求項１〜４のいずれかに記載の不凍水抜栓。
【発明の詳細な説明】
【技術分野】
【０００１】
本発明は、一方の側部に設けられた流入水路部から他方の側部に設けられた流出水路部へ連続する通水路を形成する本体を備え、該本体の上方から挿入されて配されるノズルを上下に操作することで前記通水路の開閉及び水抜き通路の開閉を行う不凍水抜栓に関する。
【背景技術】
【０００２】
従来から、寒冷地における水道システムにおいて、水道管に接続される凍結防止用の水抜栓（不凍水抜栓）が、種々提案されている。例えば、操作ロッドを上下に駆動する弁の開閉装置が、水抜栓の上部に取り付けられ、その弁の開閉装置は、接続継手を介し水抜栓内部の操作ロッドに接続されており、その弁の開閉装置を操作することにより、操作ロッドは、押し下げられ、又は引き上げられるように設けられ、操作ロッドが最下位に押し下げられると、流入口と流出口とは通水路を介して通じているので、通水（開栓）状態になり、この操作ロッドが上方に引き上げられると、最初に、操作ロッドの下方に位置する弁に装着したパッキンにより通水路が塞がれて通水を停止する（閉栓）。さらに操作ロッドが最上位まで引き上げられると、弁上方に位置するリングパッキンにより塞がれていた流出口から排水口に通じる水抜き通水路が開き、流出口に接続される二次側配管の水は、流出口から水抜き通水路を経て排水口より排水される（特許文献１の［０００２］、図１０参照）水抜栓が、提案されている。
【０００３】
また、この水抜栓では、栓ユニット部は、排水口を有する逆止弁本体及び回転胴に設けられた流出口を有し、外筒の下端に固定された筒状の本体と、本体の下端に取り付けられ、流入口を有するエルボから構成され、流入口の内部には通水路への水の流れを止める止水弁が設けられている（特許文献１の［０００３］、図１０参照）。
【０００４】
さらに、従来の水抜栓としては、水の流れを断続させる栓ユニット部と、前記栓ユニット部を操作する操作ロッドと、前記操作ロッドを上下に駆動させる弁の開閉装置とを具備し、前記栓ユニット部は、ユニット本体の側部に形成された流入口と、流出口と、前記流入口及び流出口間に設けられた通水路と、前記操作ロッドに接続されて上下に移動するノズルに取り付けられ、前記通水路を閉塞する弁と、前記ユニット本体に前記ノズルの下に配置されるように収納され、上部に第１のリングパッキンを有する止水弁と、前記第１のリングパッキンより受圧面積が小さく、前記止水弁の下部に当接される第２のリングパッキンと、前記ユニット本体に前記止水弁の下に配置されるように収納され、補修時に前記ノズルを抜き取った後、前記止水弁を押し上げて流路を遮断するための押し上げる手段とを備えたことを特徴とする水抜栓（特許文献１の請求項１）が、本出願人によって提案されている。
【０００５】
これらのリングパッキン式の水抜栓では、その構造からリングパッキンの交換が適宜必要となり、このようなパッキン交換では、操作ロッドにつながるノズルを含む一式を抜かなければならない。そして、このような交換時には止水弁等により止水しないと通水路の水が噴出するので、止水弁などを予め内蔵させておいて、水圧を利用する機構や、押し上げる手段を利用する機構によって、一時止水ができるように工夫をしている。
【０００６】
しかしながら、これらの水抜栓では、操作ロッドに接続されて上下に変位するノズルが再び挿入される保守の際であって、通水用の開閉弁のリングパッキンが、上方から変位して通水路（上下開口部）を水密シールするときに、いずれの止水弁も流入連通口を塞いでおらず、そのリングパッキンに流入水の圧力が全面的にかかることになる。このため、その流入水の圧力によって、ノズルを挿入するために大きな抵抗がかかると共に、ノズルに嵌められて装着されたリングパッキンが離脱する恐れを生じる。
【先行技術文献】
【特許文献】
【０００７】
【特許文献１】特許第３７３１８８０号公報（［請求項１］、［０００２］、［０００３］、［０００５］、図１、図１０）
【発明の概要】
【発明が解決しようとする課題】
【０００８】
不凍水抜栓に関して解決しようとする課題は、前述の従来の構成では、通水路の開閉操作を行うノズルが再び挿入される保守の際に、流入水の圧力によって、そのノズルを挿入する作業をより容易且つ適切に行うことが難しい点にある。
【０００９】
そこで、本発明の目的は、シンプルな構成でありながら、通水路の開閉操作を行うノズルが再び挿入される保守の際に、そのノズルを挿入する作業をより容易且つ適切に行うことができる不凍水抜栓を提供することにある。
【課題を解決するための手段】
【００１０】
本発明は上記目的を達成するために次の構成を備える。
本発明にかかる不凍水抜栓の一形態によれば、一方の側部に設けられた流入水路部から他方の側部に設けられた流出水路部へ連続する通水路を形成する本体を備え、該本体の上方から挿入されて配されるノズルを上下に操作することで前記通水路の開閉及び水抜き通路の開閉を行うことができ、前記通水路の中途部には、上下に開口して内周面がシール周面となる上下開口部が設けられ、該上下開口部には、前記ノズルが上方から挿通されて上下方向に変位可能に配されると共に、該ノズルの前記上下開口部に対応する部位に、前記シール周面に摺接して水密シールを行うリングパッキンが嵌められていることで通水用の開閉弁が構成され、前記ノズルが保守のために引き抜かれたときに、前記上下開口部と該上下開口部の下方に位置する前記流入水路部とが連通されるように設けられた流入連通口を塞ぐ止水弁が、流入水の圧力で内方向へ変位して前記流入連通口を塞ぐことができるように前記流入水路部内に配され、前記ノズルの下端部が、通水時及び水抜き時の使用時に、前記本体の前記流入連通口よりも下方に形成された下端側被挿入部の内周面にシールされた状態で、上下方向に変位可能に設けられている不凍水抜栓において、
前記ノズルは、下方へ変位したときには、前記通水用の開閉弁よりも下側の所要の部位が、前記止水弁を流入水の圧力に抗して外方向へ押しのけることで前記流入連通口を開くことができる外径部に形成されていると共に、該ノズルが保守のため引き抜かれ再び挿入される際であって、前記通水用の開閉弁の前記リングパッキンが、上方から変位して前記上下開口部を水密シールするときに、前記止水弁が前記流入連通口を塞いで止水するために内方向へ変位できるように、該ノズルの通水用の開閉弁よりも下側の中途部に、小径に絞られた形状のくびれ部が形成されている。
【００１１】
また、本発明にかかる不凍水抜栓の一形態によれば、前記くびれ部が、上下の両側について案内面としての円錐面状の斜面を備えるように、下向き円錐面状部と、該下向き円錐面状部の下に連続して形成された上向き円錐面状部とによって断面がＶ字状の周溝状に形成されて設けられていることを特徴とすることができる。
【００１２】
また、本発明にかかる不凍水抜栓の一形態によれば、前記止水弁の前記ノズルによって押しのけられるように該ノズルに当接する部位が、円錐面状の斜面を備えるように突き出た凸部になっていることを特徴とすることができる。
【００１３】
また、本発明にかかる不凍水抜栓の一形態によれば、前記ノズルが、スプール弁状に設けられており、上下開口部の内周面にかかる内径と下端側被挿入部の内周面にかかる内径とが同一の大きさであることを特徴とすることができる。
【００１４】
また、本発明にかかる不凍水抜栓の一形態によれば、前記本体の前記上下開口部よりも上側の側部に、前記流出水路部に連通して外部へ連通する水抜き通路が設けられ、該水抜き通路を開閉する水抜き用の開閉弁が、前記通水用の開閉弁を構成する部位よりも前記ノズルの上側の部位にリングパッキンが嵌められることで構成されていることを特徴とすることができる。
【発明の効果】
【００１５】
本発明にかかる不凍水抜栓によれば、シンプルな構成でありながら、通水路の開閉操作を行うノズルが再び挿入される保守の際に、そのノズルを挿入する作業をより容易且つ適切に行うことができるという特別有利な効果を奏する。
【図面の簡単な説明】
【００１６】
【図１】本発明にかかる不凍水抜栓の形態例のノズルを挿入する際の状態を示す断面図である。
【図２】図１の形態例にかかる通水時の状態を示す断面図である。
【図３】図１の形態例にかかる水抜き時の状態を示す断面図である。
【図４】図１の形態にかかるノズルが上方に変位している状態（ノズルの挿入途中の状態、又はノズルの引抜き途中の状態）を示す断面図である。
【発明を実施するための形態】
【００１７】
以下、本発明にかかる不凍水抜栓の形態例を添付図面（図１〜４）に基づいて詳細に説明する。この不凍水抜栓は、リングパッキン３０がノズル２０に嵌められてスプール弁状に設けられた通水用の開閉弁２１が、通水路１１の開閉を行うものであり、リングパッキン３０は定期的に交換をする必要があるため、ノズル２０と共にそのリングパッキン３０を引抜く作業と再び挿入する作業とが必要になるものである。
【００１８】
この不凍水抜栓では、一方の側部１０ａに設けられた流入水路部１２から他方の側部１０ｂに設けられた流出水路部１３へ連続する通水路１１を形成する本体１０を備え、その本体１０の上方から挿入されて配されるノズル２０を上下に操作することで通水路１１の開閉及び水抜き通路１７の開閉を行うことができる。この不凍水抜栓は、主に水道管に接続されるもので、流入水路部１２は水道本管の側の配管に接続され、流出水路部１３は水道蛇口の側の配管に接続される部分となっている。
【００１９】
通水路１１の中途部には、上下に開口して内周面がシール周面１５ａとなる上下開口部１５が設けられ、その上下開口部１５には、ノズル２０が上方から挿通されて上下方向に変位可能（移動可能）に配されると共に、そのノズル２０の上下開口部１５に対応する部位に、シール周面１５ａに摺接して水密シールを行うリングパッキン３０が嵌められていることで通水用の開閉弁２１が構成されている。本形態例では、リングパッキン３０が、Ｏ‐リングであり、ノズル２０の中途部に設けられた周溝に嵌められた状態に装着されている。
【００２０】
また、ノズル２０が保守のために引き抜かれたときに、上下開口部１５とその上下開口部１５の下方に位置する流入水路部１２とが連通されるように設けられた流入連通口１６を塞ぐ止水弁４０が、流入水の圧力で内方向へ変位して流入連通口１６を塞ぐことができるように流入水路部１２内に配されている。流入水路部１２の内面には、各図に示すように、止水弁４０の変位を流入水の流れの抵抗にならないように案内する複数の横筋状の筋状案内部１２ａ（図１、４参照）が、放射状位置に形成されている。
【００２１】
また、ノズル２０の下端部２５が、通水時及び水抜き時の使用時に、本体１０の流入連通口１６よりも下方に形成された下端側被挿入部１９の内周面１９ａにリングパッキン３２を介してシールされた状態で、上下方向に変位可能に設けられている。なお、ノズル２０は、上下に延びる棒状に構成された部材になっているため、このノズル２０の下端部２５と、通水用の開閉弁２１とは一緒（同時且つ同距離）に上下動することになる。
【００２２】
また、このノズル２０は、図２、３に示すように下方へ変位したときには、通水用の開閉弁２１よりも下側の所要の部位が、止水弁４０を流入水の圧力に抗して外方向へ押しのけることで流入連通口１６を開くことができる外径部２０ａに形成されている。
【００２３】
そして、図１に示すように、本発明にかかるノズル２０は、そのノズル２０が保守のため引き抜かれ再び挿入される際であって、通水用の開閉弁２１のリングパッキン３０が、上方から変位して上下開口部１５を水密シールするときに、止水弁４０が流入連通口１６を塞いで止水するために内方向へ変位できるように、そのノズルの通水用の開閉弁２１よりも下側の中途部に、小径に絞られた形状のくびれ部２３が形成されている。
【００２４】
この本発明にかかる不凍水抜栓によれば、シンプルな構成でありながら、通水路１１の開閉操作を行うノズル２０が再び挿入される保守の際であって、通水用の開閉弁２１のリングパッキン３０が、上方から変位して上下開口部１５を水密シールするときに、止水弁４０が流入連通口１６を塞ぐことになり、そのリングパッキン３０に流入水の圧力がかからないことになる。このため、ノズル２０を、リングパッキン３０が水密シールをするように挿入される際に、容易に挿入できると共に、ノズル２０に嵌められて装着されたリングパッキン３０が流入水による水圧で離脱する恐れもなくなる。従って、そのノズル２０を挿入する作業を、より容易且つ適切に行うことができるという特別有利な効果を奏する。
【００２５】
また、本形態例では、ノズル２０のくびれ部２３が、上下の両側について案内面としての円錐面状の斜面を備えるように、下向き円錐面状部２３ａと、その下向き円錐面状部２３ａの下に連続して形成された上向き円錐面状部２３ｂとによって断面がＶ字状の周溝状に形成されて設けられている。さらに、本形態例では、ノズル２０の先端部である下端部２５にも、案内面としての円錐面状の斜面を備えるように、下向きテーパ面状部２５ａが形成されている。
【００２６】
これによれば、止水弁４０によって、流入連通口１６をスムースに開閉できる。すなわち、ノズル２０が再び挿入される保守の際であって、通水用の開閉弁２１のリングパッキン３０が、上方から変位して上下開口部１５を水密シールするときに、止水弁４０が、流入連通口１６を塞ぐように内側へ変位した図１に示す状態から、ノズル２０が下方へ変位すると、その止水弁４０が、下向き円錐面状部２３ａの斜面によって徐々に外側に押されて変位する。これによって、流入連通口１６が開き、図２に示す通水状態や図３に示す水抜き状態の使用状態へスムースに移行できる。また、図１に示す状態と、図４に示すようなノズル２０が上方へ変位した状態（挿入途中の状態又は引抜き途中の状態）との間では、上向き円錐面状部２３ｂと下向きテーパ面状部２５ａとの斜面によって止水弁４０の変位を案内することができ、その状態変位をスムースに行うことができる。
【００２７】
また、本形態例では、止水弁４０において、ノズル２０によって押しのけられるようにそのノズル２０に当接する部位が、円錐面状の斜面を備えるように突き出た凸部４１になっている。この凸部４１の根元部の円周縁部４２ａ（図１参照）は、流入連通口１６を塞ぐためにその流入連通口１６の弁座部１６ａに当接するリング状の部位になっている。さらに、本形態例では、その凸部４１とは反対側も円錐面状の斜面を備えて水流や水圧を受ける円錐面状の受面４３（図１参照）になっている。すなわち、本形態例の止水弁４０の左右両方向（水平方向の両側）に円錐面状の斜面を備えるように突き出た部位が設けられ、中間部４２が円柱状に設けられている。
【００２８】
この止水弁４０によれば、凸部４１がくびれ部２３によって、案内され易い形状になっている。また、この止水弁４０の凸部４１や円錐面状の受面４３によれば、水流の抵抗を小さくすることができ、水圧を均等に受け易い形態になっており、筋状案内部１２ａによって案内され易いため、スムースに変位でき、応答性を向上できる。なお、１２ｂはスプリングリングであり、止水弁４０が流入水路部１２内に留まるように、止水弁４０のストッパとして配されている。
【００２９】
また、本形態例では、ノズル２０が、スプール弁状に設けられており、上下開口部１５の内周面（シール周面１５ａ）にかかる内径と下端側被挿入部１９の内周面１９ａにかかる内径とが同一の大きさに設けられている。すなわち、本形態例の本体１０には、スプール弁システムのスリーブの筒孔に相当する縦方向に開通した状態の縦孔が形成されており、この縦孔の内径のうちでシール周面となっている部分は、同一直径に設けられている。
【００３０】
これによれば、ノズル２０の軸方向の両側について、圧が均等にかかることになり、ノズル２０を圧的に中立状態に位置させることができる。このため、ノズル２０を変位作動させるように操作する際に、大きな抵抗がかかることなく、軽く作動させることができる。従って、操作性を向上させることができる。
【００３１】
なお、２０ｂは逃がし連通路であり、ノズル２０の下端部２５が、下端側被挿入部１９に押し込まれるように変位する際に、その下端側被挿入部１９に存在する流体を逃がす通路となっている。
また、３３はリングパッキンであり、ノズル２０の上部に嵌められており、ノズル２０が下方に変位した状態であって通水時及び水抜き時の使用時に、水（流体）が本形態例の操作部５０側へ漏れないようにノズル２０の上端部をシールする構成になっている。
【００３２】
また、本形態例では、本体１０の上下開口部１５よりも上側の側部１０ｃに、流出水路部１３に連通して外部へ連通する水抜き通路１７が設けられ、その水抜き通路１７を開閉する水抜き用の開閉弁２２が、通水用の開閉弁２１を構成する部位よりもノズル２０の上側の部位にリングパッキン３１が嵌められることで構成されている。
【００３３】
この構成は、従来技術（例えば、先行技術文献の特許文献１に記載された水抜き機構）と同等のものであって、スプール弁状のノズル２０に、水抜き用の開閉弁２２を好適に構成することができ、水抜き機能をシンプル且つ適切に設けることができる。
【００３４】
本形態例の操作部５０は、レバー機構５１になっており、操作ロット５２を介してノズル２０に接続されている。このレバー機構５１は、先行技術文献の特許文献１（特許第３７３１８８０号公報）の図６〜図９に開示されたものと同等のものであり、説明を省略する。
【００３５】
なお、操作部５０は、本形態例のようなレバー機構５１に限定されるものではなく、上下方向に変位・移動させて保持することができる動作機構であれば、周知の動作機構を適宜選択的に採用できることは勿論であり、例えば、スラストロック機構による上下動作の機構や、フック機構による保持を利用した上下動作の機構を採用できる。
【００３６】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３７】
１０  本体
１０ａ  一方の側部
１０ｂ  他方の側部
１０ｃ  上側の側部
１１  通水路
１２  流入水路部
１２ａ  筋状案内部
１２ｂ  スプリングリング
１３  流出水路部
１５  上下開口部
１５ａ  シール周面
１６  流入連通口
１６ａ  弁座部
１７  水抜き通路
１９  下端側被挿入部
１９ａ  内周面
２０  ノズル
２０ａ  外径部
２０ｂ  逃がし連通路
２１  通水用の開閉弁
２２  水抜き用の開閉弁
２３  くびれ部
２３ａ  下向き円錐面状部
２３ｂ  上向き円錐面状部
２５  下端部
２５ａ  下向きテーパ面状部
３０  リングパッキン（通水用の開閉弁を構成する。）
３１  リングパッキン（水抜き用の開閉弁を構成する。）
３２  リングパッキン（ノズルの下端部をシールする。）
３３  リングパッキン（ノズルの上端部をシールする。）
４０  止水弁
４１  凸部
４２  中間部
４２ａ  円周縁部
４３  円錐面状の受面
５０  操作部
５１  レバー機構
５２  操作ロット
【図１】
2019060097.tif 000003
【図２】
2019060097.tif 000004
【図３】
2019060097.tif 000005
【図４】
2019060097.tif 000006